(57)【要約】【課題】  より小さな操作領域で可変範囲の広いパラメータ値の設定操作を円滑に行うことが可能なグラフィカル・ユーザ・インターフェイスを有する電子機器を提供する。【解決手段】  ＧＵＩ１０のスケール画像３上に操作対象シンボル２の可動範囲４１，４５を設け、可動範囲の限界（境界値４２，４３，４６，４７）に操作対象シンボル２の端部が移動されたときは、表示状態を維持してスケール画像３の数値範囲を変更する。例えば、選択ハンドルＨ１の操作により操作対象シンボル２が境界値に達したときは、達した境界値に応じてスケール画像３の数値範囲をシフトする。選択ハンドルＨ２１またはＨ２２の操作により操作対象シンボル２が可動範囲４１，４５の限界（境界値）に達したときは、達した境界値に応じて数値範囲を拡大または縮小する。【選択図】図２
2012058798.tif 000002
【特許請求の範囲】
【請求項１】
ユーザの操作に連動した表示を行うとともに、ユーザの操作に応じた入力信号を制御部に出力するグラフィカル・ユーザ・インターフェイスを有する電子機器であって、
前記グラフィカル・ユーザ・インターフェイスは、
数値範囲を示すスケール画像と、
前記スケール画像上をユーザの操作に従って移動される操作対象シンボルと、
前記操作対象シンボルの可動範囲を示す可動範囲シンボルと、を有し、
前記制御部は、
前記操作対象シンボルが、前記可動範囲シンボルの示す所定の境界値の位置に達すると、前記操作対象シンボルの表示位置の移動を停止するとともに、達した境界値に応じて前記スケール画像の数値範囲を変更する変更手段を備えることを特徴とする電子機器。
【請求項２】
前記グラフィカル・ユーザ・インターフェイスは、前記操作対象シンボルの位置をスライドさせる第１ハンドルを備え、
前記変更手段は、前記第１ハンドルの操作にてスライドされることにより前記操作対象シンボルが前記可動範囲シンボルの境界値の位置に達すると、前記操作対象シンボルの表示位置の移動を停止するとともに、達した境界値に応じた方向に、前記スケール画像の数値範囲の最大値及び最小値の双方を同値ずつシフトさせる範囲シフト手段を備えることを特徴とする請求項１に記載の電子機器。
【請求項３】
前記グラフィカル・ユーザ・インターフェイスは、前記操作対象シンボルの示す範囲を変更する第２ハンドルを備え、
前記変更手段は、前記第２ハンドルの操作にて範囲が変更されることにより前記操作対象シンボルが前記可動範囲シンボルの境界値の位置に達すると、前記操作対象シンボルの表示位置の移動を停止するとともに、達した境界値に応じて、前記スケール画像の数値範囲を拡大または縮小させる範囲拡大・縮小手段を備えることを特徴とする請求項１に記載の電子機器。
【請求項４】
前記グラフィカル・ユーザ・インターフェイスは、前記操作対象シンボルの位置をスライドさせる第１ハンドルと、前記操作対象シンボルの示す範囲を変更する第２ハンドルとを備え、
前記可動範囲シンボルは、３つ乃至４つの境界値により、前記操作対象シンボルの両端部の各可動範囲を示す場合において、
前記変更手段は、
前記第１ハンドル操作中に、前記操作対象シンボルの少なくともいずれか一方の端部が前記可動範囲シンボルの示す境界値のうち最大または最小の位置に達すると、前記操作対象シンボルの表示位置の移動を停止するとともに、達した境界値に応じた方向に、前記スケール画像の数値範囲の最大値及び最小値の双方を同値ずつシフトさせ、
前記第２ハンドル操作中に、前記操作対象シンボルの少なくともいずれか一方の端部が前記可動範囲シンボルの示す境界値のうち最大または最小の位置に達すると、前記操作対象シンボルの表示位置の移動を停止するとともに、前記スケール画像の数値範囲を拡大させ、
前記第２ハンドル操作中に、前記操作対象シンボルの少なくともいずれか一方の端部が前記可動範囲シンボルの示す境界値のうち中間値の位置に達すると、前記操作対象シンボルの表示位置の移動を停止するとともに、前記スケール画像の数値範囲を縮小させることを特徴とする請求項１に記載の電子機器。
【請求項５】
前記操作対象シンボルの示す値または範囲は、医用画像の表示に関するパラメータであり、
当該電子機器は、医用画像表示装置または医用画像表示装置を備えた医用画像撮影装置であることを特徴とする請求項１に記載の電子機器。
【発明の詳細な説明】
【技術分野】
【０００１】
本発明は、電子機器においてパラメータ値の調整操作を行うためのＧＵＩ（グラフィカル・ユーザ・インターフェイス）に関する。
【背景技術】
【０００２】
従来より、装置の操作性を向上するために、各種ユーザ・インターフェイスの工夫がなされている。例えば、グレースケール画像の調色（コントラスト調整等）を行う場合には、モニタの表示能力に合わせて画像の画素値と濃淡の度合いとを割り当てる必要があり、ウィンドウレベル（ＷＬ）とウィンドウ幅（ＷＷ）といったパラメータにより画像調色が行われている。ＷＬはモニタに表示する画素値範囲の中心を示し、ＷＷはモニタに表示する画素値の幅を示すものである。従来、ＷＬ及びＷＷの設定操作を行うためのグラフィカル・ユーザ・インターフェイス（以下、ＧＵＩという）としては、表示画面に画素値の範囲を表すバーと、バー内をスライドして所望のＷＬ値またはＷＷの範囲を指示するための操作シンボルとを表示し、ユーザによるマウス操作によって操作シンボルをスライドさせて、所望のＷＬ値やＷＷの範囲を指示するものがあった。
【０００３】
また、特許文献１に示すＧＵＩのように、ジョグダイヤルの模式イメージをタッチパネル・ディスプレイに表示し、このジョグダイヤルに対して接触体を摺動操作した際の摺動距離や方向に応じてＷＬやＷＷ等のパラメータの値を変更するものがあった。特許文献１には、ジョグダイヤルの近傍にインジケータを表示して、ジョグダイヤルで変更操作されているパラメータ値が現在どの数値または数値範囲にあるかを示すことが記載されている。
【先行技術文献】
【特許文献】
【０００４】
【特許文献１】特開２００８−１１９３５号公報
【発明の概要】
【発明が解決しようとする課題】
【０００５】
しかしながら、取り得る値の範囲が広いパラメータを設定する場合、上述のようなバーまたはインジケータの表す数値範囲を広くとると微細な値を調整することが困難となり、値によっては正しく調整できないことがあった。一方で、バーやインジケータの表す数値範囲を狭く設定し微細な値を調整しやすくすると、値を大きく変化させたい場合にバー内の値では足りなくなってしまい、改めてバーの数値範囲を設定し直す必要があった。このような煩雑な操作を避けるため、予めスケールの異なるバーを複数表示させ、いずれか一方または両方のバーを用いて値を設定することも考えられるが、近年の電子機器の小型化や、本来の表示情報の多様化、詳細化に伴い、パラメータ値を調整操作するためのＧＵＩの表示領域を省スペース化する必要があった。例えば、ＣＴ画像では取り得る画素値（ＣＴ値）の範囲が、一般に３０００〜６０００階調程度の範囲と広く、これに対して一般のモニタの表示能力は２５６階調程度である。このため、撮影対象の部位や診断目的に応じてＷＷやＷＬを適切に設定する必要があるが、限られたスペースに表示される上述のＧＵＩでは、バーまたはインジケータに設定される数値範囲が広すぎるか、または狭すぎることがあるために、操作を円滑に行うことが困難なことがあった。
【０００６】
本発明は、以上の問題点に鑑みてなされたものであり、より小さな操作領域で可変範囲の広いパラメータ値の設定操作を円滑に行うことが可能なグラフィカル・ユーザ・インターフェイス（ＧＵＩ）を有する電子機器を提供することを目的としている。
【課題を解決するための手段】
【０００７】
前述した目的を達成するために本発明は、ユーザの操作に連動した表示を行うとともに、ユーザの操作に応じた入力信号を制御部に出力するグラフィカル・ユーザ・インターフェイスを有する電子機器であって、前記グラフィカル・ユーザ・インターフェイスは、数値範囲を示すスケール画像と、前記スケール画像上をユーザの操作に従って移動される操作対象シンボルと、前記操作対象シンボルの可動範囲を示す可動範囲シンボルと、を有し、前記制御部は、前記操作対象シンボルが、前記可動範囲シンボルの示す所定の境界値の位置に達すると、前記操作対象シンボルの表示位置の移動を停止するとともに、達した境界値に応じて前記スケール画像の数値範囲を変更する変更手段を備えることを特徴とする電子機器である。
【発明の効果】
【０００８】
本発明により、より小さな操作領域で可変範囲の広いパラメータ値の設定操作を円滑に行うことが可能なグラフィカル・ユーザ・インターフェイス（ＧＵＩ）を有する電子機器を提供できる。
【図面の簡単な説明】
【０００９】
【図１】本発明に係る電子機器の一例である医用画像処理装置１００のハードウエアブロック図
【図２】医用画像処理装置１００にて用いられるＧＵＩ１０の表示例
【図３】第１ハンドルＨ１によって操作対象シンボル２が境界値４６に移動された状態のＧＵＩ１０の表示例
【図４】第２ハンドルＨ２２によって操作対象シンボル２の右端が境界値４７に移動された状態のＧＵＩ１０の表示例
【図５】第２ハンドルＨ２１によって操作対象シンボル２の左端が境界値４３に移動された状態のＧＵＩ１０の表示例
【図６】ＧＵＩ１０におけるシンボル移動処理について説明するフローチャート
【図７】ＧＵＩ２０の表示例
【図８】ＧＵＩ２０におけるシンボル移動処理について説明するフローチャート
【図９】操作対象シンボル６が境界値５３に移動された状態のＧＵＩ２０の表示例
【発明を実施するための形態】
【００１０】
以下、添付図面を参照しながら、本発明の好適な実施形態について詳細に説明する。
本発明は、ユーザの操作に連動した表示を行うとともに、ユーザの操作に応じた入力信号を制御部（ＣＰＵ）に出力するグラフィカル・ユーザ・インターフェイス（ＧＵＩ）を用いて、各種パラメータ値を設定する各種電子機器に適用できる。本発明に係る電子機器の好適な一例として、以下の実施の形態では、医用画像の診断に用いられる医用画像処理装置１００を挙げるが、Ｘ線ＣＴ装置、ＭＲＩ装置、Ｘ線診断装置、透視撮影装置、ＳＰＥＣＴ装置、ＰＥＴ装置等の医用画像撮影装置にも適用できる。また、医療の分野のみならず、一般的なパーソナルコンピュータ、ＰＤＡ（Ｐｅｒｓｏｎａｌ  Ｄｉｇｉｔａｌ  Ａｓｓｉｓｔａｎｔｓ）、携帯電話、ゲーム機器、車載電子機器、計測装置、その他の各種電子機器に適用することが可能である。
【００１１】
また、以下の実施形態では、ＧＵＩ１０は、画像表示の際のパラメータ設定に用いられ、対象とする画像の好適な一例としてＣＴ画像を用いて説明するが、画像の種類はこれに限定されない。本発明にて利用するＧＵＩは、ＭＲ画像、超音波画像、核医学画像等の医用画像や医用画像以外の画像にも利用できる。また、変更対象とするパラメータの一例としてウィンドウレベル（ＷＬ）、ウィンドウ幅（ＷＷ）を挙げるが、これ以外の他のパラメータの設定のために本発明を適用してもよい。
【００１２】
［第１の実施の形態］
まず、図１を参照して、本発明の画像処理装置１００を適用した画像処理システム１の構成について説明する。
【００１３】
図１に示すように、画像処理システム１は、表示装置１０７、マウス１０８、入力装置１０９を有する医用画像処理装置１００と、医用画像処理装置１００にネットワーク１１０を介して接続される画像データベース１１１と、医用画像撮影装置１１２とを備える。なお、表示装置１０７と入力装置１０９とは、一体的に構成されたタッチパネル・ディスプレイとしてもよい。
【００１４】
医用画像処理装置１００は、例えばコンピュータにより構成され、画像生成、画像表示等の処理を行う。
医用画像処理装置１００は、図１に示すように、ＣＰＵ（Ｃｅｎｔｒａｌ  Ｐｒｏｃｅｓｓｉｎｇ  Ｕｎｉｔ）１０１、主メモリ１０２、記憶装置１０３、通信インタフェース（通信Ｉ／Ｆ）１０４、表示メモリ１０５、マウス１０８等のポインティングデバイスとのインタフェース（Ｉ／Ｆ）１０６を備え、各部はバス１１３を介して接続されている。
【００１５】
ＣＰＵ１０１（制御部）は、主メモリ１０２または記憶装置１０３等に格納されるプログラムを主メモリ１０２のＲＡＭ上のワークメモリ領域に呼び出して実行し、バス１１３を介して接続された各部を駆動制御し、医用画像処理装置１００が行う各種処理を実現する。
【００１６】
また、ＣＰＵ１０１は、医用画像表示に関するパラメータ値の設定操作を受け付ける。パラメータ値の設定操作を支援するために、本実施の形態の医用画像処理装置１００は、後述するＧＵＩ１０を提供する。ＧＵＩ１０の構成及び動作については、後述する。
【００１７】
主メモリ１０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。ＲＯＭは、コンピュータのブートプログラムやＢＩＯＳ等のプログラム、データ等を恒久的に保持している。また、ＲＡＭは、ＲＯＭ、記憶装置１０３等からロードしたプログラム、データ等を一時的に保持するとともに、ＣＰＵ１０１が各種処理を行う為に使用するワークエリアを備える。
【００１８】
記憶装置１０３は、ＨＤＤ（ハードディスクドライブ）や他の記録媒体へのデータの読み書きを行う記憶装置であり、ＣＰＵ１０１が実行するプログラム、プログラム実行に必要なデータ、ＯＳ（オペレーティングシステム）等が格納される。プログラムに関しては、ＯＳに相当する制御プログラムや、アプリケーションプログラムが格納されている。これらの各プログラムコードは、ＣＰＵ１０１により必要に応じて読み出されて主メモリ１０２のＲＡＭに移され、各種の手段として実行される。
【００１９】
通信Ｉ／Ｆ１０４は、通信制御装置、通信ポート等を有し、医用画像処理装置１００とネットワーク１１０との通信を媒介する。また通信Ｉ／Ｆ１０４は、ネットワーク１１０を介して、画像データベース１１１や、他のコンピュータ、或いは、Ｘ線ＣＴ装置、ＭＲＩ装置等の医用画像撮影装置１１２との通信制御を行う。
Ｉ／Ｆ１０６は、周辺機器を接続させるためのポートであり、周辺機器とのデータの送受信を行う。例えば、マウス１０８やスタイラスペン等のポインティングデバイスがＩ／Ｆ１０６を介して接続される。
【００２０】
表示メモリ１０５は、ＣＰＵ１０１から入力される表示データを一時的に蓄積するバッファである。蓄積された表示データは所定のタイミングで表示装置１０７に出力される。
表示装置１０７は、液晶パネル、ＣＲＴモニタ等のディスプレイ装置と、ディスプレイ装置と連携して表示処理を実行するための論理回路で構成され、表示メモリ１０５を介してＣＰＵ１０１に接続される。表示装置１０７はＣＰＵ１０１の制御により表示メモリ１０５に蓄積された表示データを表示する。
【００２１】
入力装置１０９は、例えば、キーボード等の入力装置であり、操作者によって入力される各種の指示や情報をＣＰＵ１０１に出力する。
【００２２】
マウス１０８は、マウス本体が操作者の操作によって移動されることにより、表示画面上に表示されるマウスカーソル９の位置を移動させる入力装置である。また、マウス１０８はボタンを備え、ボタン操作とマウス本体の移動操作とを組み合わせた各種操作方法に応じて、後述するＧＵＩを操作できる。例えば、クリック操作や、ドラッグ操作が含まれる。
【００２３】
ネットワーク１１０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、イントラネット、インターネット等の各種通信網を含み、画像データベース１１１やサーバ、他の情報機器等と医用画像処理装置１００との通信接続を媒介する。
【００２４】
画像データベース１１１は、医用画像撮影装置１１２によって撮影された画像データを蓄積して記憶するものである。
【００２５】
次に、図２〜図６を参照して本発明の医用画像処理装置１００が有するＧＵＩ１０について説明する。
図２に示すように、本発明の第１の実施の形態のＧＵＩ１０は、設定しようとするパラメータ値の設定可能な数値範囲を示すスケール画像３、スケール画像３上の一部の数値範囲を指示する操作対象シンボル２、第１ハンドルＨ１、第２ハンドルＨ２１，Ｈ２２、及び可動範囲シンボル４１，４５を有する。
【００２６】
これらの各部のうち、操作対象シンボル２、第１ハンドルＨ１、第２ハンドルＨ２１，Ｈ２２は、ユーザの操作に連動して表示位置が変更される。一方、スケール画像３及び可動範囲シンボル４１，４５は固定的に表示される。ただし、スケール画像３の最大値Ｍａｘ及び最小値Ｍｉｎは、後述する処理によって変更される場合がある。
【００２７】
ＧＵＩ１０への操作をマウス１０８を用いて行う場合、表示画面にはマウス１０８の指示位置を示すマウスカーソル９が表示される。また、医用画像処理装置１００が、表示装置１０７と入力装置１０９とが一体化したタッチパネルを備える場合は、スタイラスペンや手指等を用いてＧＵＩ１０の各ハンドル（第１ハンドルＨ１、第２ハンドルＨ２１，Ｈ２２）を直接接触することにより操作される。
【００２８】
ＣＰＵ１０１は、ＧＵＩ１０に対する操作内容に応じてＧＵＩ１０の表示内容を変更する。また、ＣＰＵ１０１は、ＧＵＩ１０の操作対象シンボル２の位置に応じて、ＷＷやＷＬ等のパラメータを設定する。
更にＣＰＵ１０１は、いずれかのハンドルＨ１，Ｈ２１，Ｈ２２が操作されることにより、操作対象シンボル２の端部が可動範囲シンボル４１，４５の示すいずれかの境界値４２，４３，４６，４７に達したときは、達した境界値と選択されているハンドルとに応じて、スケール画像３の示す数値範囲（最大値Ｍａｘ、最小値Ｍｉｎ）を変更する。数値範囲の変更の詳細については、後述する。
【００２９】
スケール画像３は、設定対象とするパラメータが取り得る数値範囲を表すものであり、枠または線分等の図形にて表示される。スケール画像３の両端には、数値範囲の最小値（Ｍｉｎ）と最大値（Ｍａｘ）とが表示される。図２の例では、二重線の枠がスケール画像３であり、左端に最小値「０」、右端に最大値「１２０」が表示されている。
【００３０】
操作対象シンボル２は、スケール画像３上の数値または数値範囲を示すシンボルであり、ユーザの操作に従ってスケール画像３上を移動する。図２の例では、操作対象シンボル２は数値範囲を示し、その範囲は、スケール画像３の示す数値範囲（最小値Ｍｉｎ〜最大値Ｍａｘ）における相対的な位置で決定される。
【００３１】
また、操作対象シンボル２は、第１ハンドルＨ１の操作に従って、スケール画像３上をスライド表示され、また、第２ハンドルＨ２１，Ｈ２２の操作によって、操作対象シンボル２自体の示す範囲が変更表示される。
【００３２】
第１ハンドルＨ１は、操作対象シンボル２の位置を移動させるためのハンドルであり、例えば、操作対象シンボル２の中央位置に表示される（図２の白抜き三角）。
第１ハンドルＨ１がマウス１０８のドラッグ操作により左右に移動されると、第１ハンドルＨ１の移動に連動して操作対象シンボル２が移動表示される。
【００３３】
第２ハンドルＨ２１，Ｈ２２は、操作対象シンボル２の示す数値範囲を拡大または縮小させるためのハンドルであり、例えば操作対象シンボル２の両端にそれぞれ表示される（図２の黒三角）。これらの第２ハンドルＨ２１，Ｈ２２は、マウス１０８によって操作される。例えば、第２ハンドルＨ２１またはＨ２２のいずれか一方がマウス１０８のドラッグ操作により移動されると、第２ハンドルＨ２１，Ｈ２２の移動に連動して操作対象シンボル２の示す範囲が拡大または縮小される。第２ハンドルＨ２１及びＨ２２は、一方が右または左に移動されるとその移動量と同量だけ他方も対称に移動される。これにより、操作対象シンボル２の示す数値範囲は拡大または縮小される。なお、第２ハンドルＨ２１，Ｈ２２は、いずれか一方ずつそれぞれ移動されるようにしてもよい。
【００３４】
ＧＵＩ１０をＷＷとＷＬの設定に用いる場合は、第１ハンドルＨ１の操作によってＷＬが変更され、第２ハンドルＨ２１，Ｈ２２の操作によってＷＷが変更されることとなる。
【００３５】
可動範囲シンボル４１，４５は、操作対象シンボル２の端部の可動範囲を示すものであり、図２に示すようにスケール画像３上に固定的に表示される。図２に示すＧＵＩ１０は、２つの可動範囲シンボル４１，４５を有し、各可動範囲シンボル４１，４５はそれぞれ２つの境界値４２，４３、４６，４７を有する。図２に示す例では、操作対象シンボル２の左側可動範囲を示す可動範囲シンボル４１は、境界値４２，４３を明示した枠として表示されるが枠に限定されず、線等としてもよい。例えば、可動範囲シンボル５１の点線は省略されてもよい。また、可動範囲シンボル４１，４５は、枠や線等の形状（図形）に限らず、色、模様等で各境界値を表現するものとしてもよい。同様に、操作対象シンボル２の右側可動範囲を示す可動範囲シンボル４５は、境界値４６，４７を明示する。
【００３６】
なお、各可動範囲シンボル４１，４５は、図２に示すように、スケール画像３の端部（最小値Ｍｉｎ、最大値Ｍａｘ）から若干の間隔をおいた位置に表示されるようにすることが望ましい。
これは、可動範囲シンボル４１の最小値側の境界値４２や、可動範囲シンボル４５の最大値側の境界値４７を超えた先に、調整用の数値が存在することをユーザに直感的に想起させるためである。
【００３７】
各境界値４２，４３，４６，４７は、操作対象シンボル２の移動範囲の限界を表すものである。操作対象シンボル２の端部が可動範囲シンボル４１（境界値４２，４３で限定される範囲）や可動範囲シンボル４５（境界値４６，４７で限定される範囲）内にある場合は、操作対象シンボル２は、第１ハンドルＨ１または第２ハンドルＨ２１、Ｈ２２の操作に連動して基本的な移動動作で移動されるが、操作対象シンボル２の左端が境界値４２，４３に達するか、右端が境界値４６，４７のいずれかに達すると、操作対象シンボル２の移動は制止されるとともに、達した境界値と操作中のハンドルの種別とに応じてスケール画像３の数値範囲（Ｍｉｎ及びＭａｘ）が変更される。その結果、操作対象シンボル２の示す数値範囲がスケール画像３の示す数値範囲に対して相対的に変更される。従って、他の操作シンボルを操作したり、直接数字を入力したりしなくても、設定しようとするパラメータ値が当初の最大値Ｍａｘ、最小値Ｍｉｎを超えて変更可能となる。
【００３８】
スケール画像３の数値範囲（Ｍｉｎ及びＭａｘ）は、選択されたハンドルと達した境界値とに応じて、以の態様（１−１）〜（１−４）で変更される。
【００３９】
（態様１−１）
図３に示すように、第１ハンドルＨ１が操作され、操作対象シンボル２の左端（第２ハンドルＨ２１の位置）が境界値４２の位置に移動されたか、操作対象シンボル２の右端（第２ハンドルＨ２２の位置）が境界値４６の位置に移動された場合は、スケール画像３の最小値Ｍｉｎと最大値Ｍａｘとを同値ずつ小さくする。
操作対象シンボル２の示す数値範囲は、スケール画像３の示す数値範囲内での相対位置から算出されるため、最小値Ｍｉｎと最大値Ｍａｘとに連動して小さな値へシフトする。
【００４０】
（態様１−２）
第１ハンドルＨ１が操作され、操作対象シンボル２の左端（第２ハンドルＨ２１の位置）が境界値４３の位置にあるか、操作対象シンボル２の右端（第２ハンドルＨ２２の位置）が境界値４７の位置にある場合は、スケール画像３の最小値Ｍｉｎと最大値Ｍａｘとを同値ずつ大きくする。
操作対象シンボル２の示す数値範囲は、スケール画像３の示す数値範囲内での相対位置から算出されるため、最小値Ｍｉｎと最大値Ｍａｘとに連動して大きな値へシフトする。
【００４１】
（態様１−３）
図４に示すように、第２ハンドルＨ２１またはＨ２２が操作され、操作対象シンボル２の左端（第２ハンドルＨ２１の位置）が境界値４２の位置に到達するか、操作対象シンボル２の右端（第２ハンドルＨ２２の位置）が境界値４７の位置に到達した場合は、スケール画像３の最小値Ｍｉｎを小さくし、最大値Ｍａｘを大きくする。すなわち、スケール画像３の数値範囲を拡大する。
操作対象シンボル２の示す数値範囲は、スケール画像３の示す数値範囲内での相対位置から算出されるため、同じ長さでもより広い範囲を示すこととなる。値を大きく移動したい場合等に好適な操作である。
【００４２】
（態様１−４）
図５に示すように、第２ハンドルＨ２１またはＨ２２が操作され、操作対象シンボル２の左端（第２ハンドルＨ２１の位置）が境界値４３の位置にあるか、操作対象シンボル２の右端（第２ハンドルＨ２２の位置）が境界値４６の位置にある場合は、スケール画像３の最小値Ｍｉｎを大きくし、最大値Ｍａｘを小さくする。すなわち、スケール画像３の数値範囲を縮小する。
操作対象シンボル２の示す数値範囲は、スケール画像３の示す数値範囲内での相対位置から算出されるため、同じ長さでもより狭い範囲を示すこととなる。微細な値を設定したい場合に好適な操作である。
【００４３】
（態様１−５）基本的な動作
操作対象シンボル２の左端または右端がいずれの境界値４２，４３，４６，４７にも達していない場合（例えば、図２の状態）は、スケール画像３の数値範囲を維持し、選択したハンドルのドラッグ操作に従って、操作対象シンボル２の位置を移動する。操作対象シンボル２の示す数値範囲は、スケール画像３の示す数値範囲内での相対位置から算出される。
【００４４】
次に、図６のフローチャートを参照して、ＧＵＩ１０のシンボル移動処理の流れについて説明する。
ＣＰＵ１０１は、図２に示すＧＵＩ１０を表示装置１０７に表示するとともに、マウスカーソル９を表示し、マウス１０８から入力される操作信号を監視する。マウス１０８から入力される操作信号には、マウス１０８のボタンの押下情報、マウス１０８の移動情報等が含まれる。
例えば、マウス１０８によって、ＧＵＩ１０の第１ハンドルＨ１または第２ハンドルＨ２１，Ｈ２２がドラッグまたはクリックされると、ＣＰＵ１０１は、操作されたハンドルの情報や、ドラッグ位置情報またはクリック位置情報を認識する。
【００４５】
図６に示すように、ＣＰＵ１０１は操作されるハンドル（選択ハンドル）と各ハンドルＨ１，Ｈ２１，Ｈ２２の位置を監視している（ステップＳ１）。第１ハンドルＨ１が操作された場合（ステップＳ１；Ｈ１）、ＣＰＵ１０１は、更に操作対象シンボル２の両端（第２ハンドルＨ２１，Ｈ２２）の位置を判定する（ステップＳ２）。操作対象シンボル２の左端（第２ハンドルＨ２１）が境界値４２の位置に移動されたか、または操作対象シンボル２の右端（第２ハンドルＨ２２）が境界値４６の位置に移動された場合は、ステップＳ３へ進み、スケール画像３の示す最小値Ｍｉｎの値と最大値Ｍａｘの値とをともに小さくする（態様１−１；ステップＳ３）。このとき、選択ハンドルＨ１のドラッグ操作が続けられても、操作対象シンボル２の位置は移動せず、境界値４２（または境界値４６）に達したときの表示を維持する。
【００４６】
第１ハンドルＨ１の操作により（ステップＳ１；Ｈ１）、操作対象シンボル２の左端（第２ハンドルＨ２１）が境界値４３の位置に移動されたか、または操作対象シンボル２の右端（第２ハンドルＨ２２）が境界値４７の位置に移動された場合は、ステップＳ４へ進み、スケール画像３の示す最小値Ｍｉｎの値と最大値Ｍａｘの値とをともに大きくする（態様１−２；ステップＳ４）。このとき、選択ハンドルＨ１のドラッグ操作が続けられても、操作対象シンボル２の位置を維持し、可動範囲シンボル４１の境界値４３または可動範囲シンボル４５の境界値４７に達したときの表示状態を維持する。
【００４７】
具体的には、例えば図３に示すように、マウス１０８により第１ハンドルＨ１がドラッグ操作されると、操作対象シンボル２は、ドラッグ操作に応じてスケール画像３上を移動表示される。マウス１０８により第１ハンドルＨ１がドラッグ操作されている間に、操作対象シンボル２の右端（第２ハンドルＨ２２）が可動範囲シンボル２の境界値４６の位置に到達すると、ＣＰＵ１０１はそれ以降、操作対象シンボル２の位置は変更せず、スケール画像３の最大値Ｍａｘ及び最小値Ｍｉｎを同値ずつ小さくする。例えば、元のスケール画像３の示す数値範囲が「０〜１２０」である場合に、上述の操作により、スケール画像３の示す数値範囲が「−２０〜１００」のように変更される。
なお、この状態でマウス１０８のドラッグ操作が維持されると、ＣＰＵ１０１は、更にスケール画像３の最小値Ｍｉｎと最大値Ｍａｘとを同値ずつ小さくし続ける。
【００４８】
第１ハンドルＨ１が操作されているが、第２ハンドルＨ２１，Ｈ２２の位置（操作対象シンボルの端部）がいずれの境界値にも達していない場合は（ステップＳ１；Ｈ１→ステップＳ２；その他の位置）、ステップＳ５へ進む。ステップＳ５では、第１ハンドルＨ１が操作されている間（ステップＳ５；Ｙｅｓ）、ユーザによるマウス操作に応じて操作対象シンボル２を移動する（態様１−５）。
【００４９】
図６のステップＳ１において、第２ハンドルＨ２１が操作されたと判定した場合（ステップＳ１；Ｈ２１）、ＣＰＵ１０１は、操作された第２ハンドルＨ２１の位置（操作対象シンボル２の左端部）を判定する（ステップＳ６）。操作中の第２ハンドルＨ２１（操作対象シンボル２の左端）が境界値４２（境界値４２，４３，４６，４７のうち最小のもの）の位置にあると判定した場合は、ステップＳ７へ進み、スケール画像３の示す最小値Ｍｉｎの値を小さくするとともに、最大値Ｍａｘの値を大きくする（態様１−３；ステップＳ７）。このとき、選択ハンドルＨ２１のドラッグ操作が続けられても、操作対象シンボル２の表示位置や表示範囲は変更されず、可動範囲シンボル４１の境界値４２に達したときの表示状態を維持する。
【００５０】
ステップＳ６において、操作中の第２ハンドルＨ２１の位置（操作対象シンボル２の左端部）が境界値４３の位置にあると判定した場合は、ステップＳ９へ進み、スケール画像３の示す最小値Ｍｉｎの値を大きくするとともに、最大値Ｍａｘの値を小さくする（態様１−４；ステップＳ９）。このとき、選択ハンドルＨ２１のドラッグ操作が続けられても、操作対象シンボル２の表示位置や表示範囲は変更されず、可動範囲シンボル４１の境界値４３に達したときの表示状態を維持する。
【００５１】
図６のステップＳ１において、第２ハンドルＨ２２が操作されたと判定した場合は（ステップＳ１；Ｈ２２）、ＣＰＵ１０１は、更に第２ハンドルＨ２２（操作対象シンボル２の右端部）の位置を判定する（ステップＳ８）。操作中の第２ハンドルＨ２２（操作対象シンボル２の右端）が境界値４７の位置にあると判定した場合は、ステップＳ７へ進み、スケール画像３の示す最小値Ｍｉｎの値を小さくするとともに、最大値Ｍａｘの値を大きくする（態様１−３；ステップＳ７）。このとき、選択ハンドルＨ２２のドラッグ操作が続けられても、操作対象シンボル２の表示位置や表示範囲は変更されず、可動範囲シンボル４５の境界値４７に達したときの表示状態を維持する。
【００５２】
ステップＳ８において、操作中の第２ハンドルＨ２２の位置（操作対象シンボル２の右端部）が境界値４６の位置にあると判定した場合は、ステップＳ９へ進み、スケール画像３の示す最小値Ｍｉｎの値を大きくするとともに、最大値Ｍａｘの値を小さくする（態様１−４；ステップＳ９）。このとき、選択ハンドルＨ２２のドラッグ操作が続けられても、操作対象シンボル２の表示位置や表示範囲は変更されず、可動範囲シンボル４５の境界値４６に達したときの表示状態を維持する。
【００５３】
具体的には、マウス１０８によって第２ハンドルＨ２１，Ｈ２２のいずれか一方がドラッグ操作されると、ドラッグ操作に応じた量だけ操作対象シンボル２の表示範囲が拡大または縮小される。例えば、元の操作対象シンボル２の示す範囲が「３０〜７０」である場合に、右側の第２ハンドルＨ２２が右方向にドラッグ操作されると、これに連動して左側の第２ハンドルＨ２１は左方向へ同量だけ移動される。その結果、操作対象シンボル２の示す範囲は例えば「２０〜８０」のように拡大される。更に、同様の操作を続け、操作対象シンボル２の示す範囲を拡大すると、図４に示すように、操作対象シンボル２の右端が可動範囲シンボル４５の右端の境界値４７に到達する。この場合、そのまま第２ハンドルＨ２２がドラッグ（クリック）され続けると、操作対象シンボル２の表示位置や大きさはそのままで、スケール画像３の最大値Ｍａｘが増加され、最小値Ｍｉｎが減少するように変更される。例えば、元のスケール画像３の示す範囲が「０〜１２０」である場合に、上述の操作により、スケール画像３の示す範囲が「−２０〜１４０」のように拡大される。
操作対象シンボル２の示す数値範囲は、スケール画像３の示す数値範囲内での相対位置から算出されるため、スケール画像３の示す数値範囲が拡大されるに従って、操作対象シンボル２の示す数値範囲も拡大されることとなる。
【００５４】
また、図５に示すように、マウス１０８によって左側の第２ハンドルＨ２１が右方向にドラッグ操作されると、これに連動して右側の第２ハンドルＨ２２は左方向へ同量だけ移動される。その結果、操作対象シンボル２の示す範囲は縮小される。更に、同様の操作を続け、操作対象シンボル２の示す範囲を縮小すると、図５に示すように、操作対象シンボル２の左端が可動範囲シンボル４１の右側の境界値４３に到達する。この場合、そのまま第２ハンドルＨ２１がドラッグ（クリック）され続けると、操作対象シンボル２の位置や大きさはそのままで、スケール画像３の最大値が減少し、最小値が増加するように変更される。例えば、元のスケール画像３の示す範囲が「０〜１２０」である場合に、この操作により、スケール画像３の示す範囲が「２０〜１００」のように縮小される。
操作対象シンボル２の示す数値範囲は、スケール画像３の示す数値範囲内での相対位置から算出されるため、スケール画像３の示す数値範囲が縮小されるに従って、操作対象シンボル２の示す数値範囲も縮小されることとなる。
【００５５】
第２ハンドルＨ２１が操作されているが、第２ハンドルＨ２１の位置（操作対象シンボルの端部）がいずれの境界値にも達していない場合（ステップＳ１；Ｈ２１→ステップＳ６；その他の位置）、或いは第２ハンドルＨ２２が操作されているが、第２ハンドルＨ２２の位置（操作対象シンボルの端部）がいずれの境界値にも達していない場合は（ステップＳ１；Ｈ２２→ステップＳ８；その他の位置）、ステップＳ５へ進む。第２ハンドルＨ２１，Ｈ２２が操作されている間は（ステップＳ５；Ｙｅｓ）、ユーザによるマウスカーソル移動操作に応じた処理を継続する。
【００５６】
マウス１０８による第１ハンドルＨ１または第２ハンドルＨ２１、Ｈ２２の移動操作が行われない場合は（ステップＳ５；Ｎｏ）、シンボル移動処理を終了する。
【００５７】
以上説明したように、第１の実施の形態に示すＧＵＩ１０は、数値範囲を示すスケール画像３と、スケール画像３の上をユーザの操作に従って移動される操作対象シンボル２と、操作対象シンボル２の可動範囲を示す２つの可動範囲シンボル４１，４５と、を有する。
また、ＧＵＩ１０は、操作対象シンボル２の位置をスライドさせる第１ハンドルＨ１と、操作対象シンボル２の範囲を変更する第２ハンドルＨ２１，Ｈ２２とを備える。
【００５８】
また、可動範囲シンボル４１は、操作対象シンボル２の左端の可動範囲を示し、可動範囲シンボル４５は、操作対象シンボル２の右端の可動範囲を示すものであり、それぞれ、下限値及び上限値（境界値）を有する。第１ハンドルＨ１の操作中に、操作対象シンボル２の端部が境界値４３，４７の位置に達すると、スケール画像３の数値範囲の最大値Ｍａｘ及び最小値Ｍｉｎの双方を同値ずつ大きくし、境界値４２，４６の位置に達すると、スケール画像３の数値範囲の最大値Ｍａｘ及び最小値Ｍｉｎの双方を同値ずつ小さくする。また、第２ハンドルＨ２１またはＨ２２の操作中に、操作対象シンボル２が境界値４７（最大の境界値）または境界値４２（最小の境界値）に達すると、スケール画像３の数値範囲を拡大する。また、第２ハンドルＨ２１またはＨ２２の操作中に、操作対象シンボル２が境界値のうち中間値４３，４６に達すると、スケール画像３の数値範囲を縮小させる。
【００５９】
このように、本実施の形態のＧＵＩ１０を用いれば、ひとつのＧＵＩ１０で取り得る数値範囲（可変範囲）の広いパラメータについても自在に数値範囲を変更できる。特に、ＧＵＩ１０の第１または第２ハンドルを所定の位置（境界値）に移動するだけで、スケール画像３の数値範囲をシフト移動させたり、拡大または縮小させたりできるので、パラメータ値の大きな変更から微調整までをひとつのＧＵＩ１０にて円滑に行えるようになる。医用画像（ＣＴ画像）の表示の際に設定するＷＬやＷＷのように、取り得る値の範囲が広いパラメータを設定する際に、好適である。
また、操作領域の省スペース化に対応すべくＧＵＩ１０が小さく表示されるような場合にも、スケール画像３の数値範囲を適切な範囲に移動させ、その後に設定したい値の微細さに応じた数値範囲に縮小させることにより、簡単に所望のパラメータ値を設定できる。
【００６０】
また、ＧＵＩ１０の可動範囲シンボル４１，４５を、スケール画像３の端部から所定の余白分離れた位置に表示することにより、ユーザに、可動範囲シンボル４１，４５の更に先に設定可能な余分の数値範囲があることを想起させやすく、ＧＵＩ１０をより直感的に操作できるようになる。
【００６１】
なお、上述の第１の実施の形態では、操作対象シンボル２の両端にそれぞれ可動範囲を設け、それらの可動範囲を、２つの離間した可動範囲シンボル４１，４５にて表したため境界値は４つとなるが、各端部の可動範囲シンボル４１，４５が互いに接するように設けられるようにしてもよい。この場合は、中間の境界値４３，４４が同値となり、境界値は３つ（中間の境界値４３または４４のいずれか一方、最小の境界値４２、最大の境界値４７）となる。
【００６２】
［第２の実施の形態］
次に、図７〜図９を参照して、第２の実施の形態のＧＵＩ２０について説明する。なお、第２の実施の形態において、第１の実施の形態と同一の各部については同一の符号を付し、説明を省略する。
【００６３】
図７に示すように、ＧＵＩ２０は、全体の数値範囲を示すスケール画像３、スケール画像３上の一部の数値を示す操作対象シンボル６、及び可動範囲シンボル５１を有する。
これらの各部のうち、操作対象シンボル６は、ユーザの操作に応じて表示位置が変更される。一方、スケール画像３及び可動範囲シンボル５１は固定的に表示されるものである。ただし、スケール画像３の最大値Ｍａｘ及び最小値Ｍｉｎは、後述する処理によって変更される場合がある。
【００６４】
ＣＰＵ１０１は、第１の実施の形態と同様に、ＧＵＩ２０に対する操作内容に応じてＧＵＩ２０の表示内容を変更する。また、ＣＰＵ１０１は、ＧＵＩ２０の操作対象シンボル６の位置に応じて、パラメータ値を設定する。
ＧＵＩ２０には、第１の実施の形態に示すようなハンドルはなく、ユーザは操作対象シンボル６を直接マウス１０８にて操作することにより、操作対象シンボル６の位置をスライドする。
更に、ＣＰＵ１０１は、操作対象シンボル６の位置に応じて、スケール画像３の示す数値範囲（最大値、最小値）を変更する。
【００６５】
可動範囲シンボル５１は、操作対象シンボル６の可動範囲を示すものであり、図７に示すようにスケール画像３上に固定的に表示される。また、可動範囲シンボル５１は２つの境界値５２，５３により決定される範囲を有する。図７に示す例では、可動範囲シンボル５１は、境界値５２，５３を明示した枠として表示されるが、枠に限定されず、境界値５２，５３が表現されるものであればどのような形状としてもよい。例えば、可動範囲シンボル５１の点線は省略されてもよい。また、可動範囲シンボル５２，５３は、枠や線等の形状に限らず、色、模様等で境界値を表現するものとしてもよい。
【００６６】
なお、可動範囲シンボル５１は、図７に示すように、両端がスケール画像３の端部（最小値、最大値）から若干の間隙をおいた位置に表示されるようにすることが望ましい。これは、可動範囲シンボル５１の境界値５２，５３を超えた先に調整分の余分の数値（余白）があることをユーザに想起させるためである。
【００６７】
各境界値５２，５３は、操作対象シンボル６の移動限界を表すものである。すなわち、操作対象シンボル６の端部（中央部でもよい）が可動範囲シンボル５１内にある場合は、マウス１０８のドラッグ操作に連動して操作対象シンボル６の位置が移動され、その位置に応じた値にてパラメータ設定されるが、操作対象シンボル６の端部（または中央部）がいずれかの境界値５２，５３に達すると、操作対象シンボル６の移動は制止されるとともに、スケール画像３の数値範囲（Ｍｉｎ及びＭａｘ）が変更される。
【００６８】
スケール画像３の数値範囲（Ｍｉｎ及びＭａｘ）は、操作対象シンボル６が達した境界値に応じて、以下の態様（２−１）、（２−２）で変更される。
なお、操作対象シンボル６の示す数値は、スケール画像３内の相対位置から算出される。
【００６９】
（態様２−１）
操作対象シンボル６の端部（または中央部）が境界値５２の位置に移動された場合は、スケール画像３の最小値Ｍｉｎと最大値Ｍａｘとを同値ずつ小さくする。
【００７０】
（態様２−２）
操作対象シンボル６の端部（または中央部）が境界値５３の位置に移動された場合は、スケール画像３の最小値Ｍｉｎと最大値Ｍａｘとを同値ずつ大きくする（図９参照）。
【００７１】
（態様２−３）基本的な動作
操作対象シンボル６の端部（または中央部）がいずれの境界値５２，５３にも達していない場合は、マウス１０８のドラッグ操作に応じて、操作対象シンボル６の位置を変更表示する（図７参照）。
【００７２】
図８を参照して、第２の実施の形態のＧＵＩ２０において、ＣＰＵ１０１が実行するシンボル移動処理の流れについて説明する。
ＣＰＵ１０１は、図７に示すＧＵＩ２０を表示装置１０７に表示するとともに、マウスカーソル９を表示し、マウス１０８から入力される操作信号を監視している。マウス１０８から入力される操作信号には、マウス１０８のボタンの押下情報、マウス１０８の移動情報等が含まれる。
例えば、マウス１０８によって、ＧＵＩ２０の操作対象シンボル６がドラッグまたはクリックされると、ＣＰＵ１０１は、ドラッグ位置またはクリック位置を認識する。
【００７３】
図８に示すように、ＣＰＵ１０１はマウス１０８がドラッグ操作されると、操作対象シンボル６の位置を判定する（ステップＳ２１）。ステップＳ２１において、操作対象シンボル６が境界値５３の位置に達した場合は（ステップＳ２１；５３）、ステップＳ２２へ進み、スケール画像３の示す最小値Ｍｉｎの値と最大値Ｍａｘの値とをともに大きくする（上述の（態様２−２）；ステップＳ２２）。このとき、ドラッグ操作が続けられても、操作対象シンボル６の位置は移動されず、可動範囲シンボル５１の境界値５３に達したときの表示状態を維持する。
【００７４】
ステップＳ２１において、操作対象シンボル６の位置が境界値５２の位置に達した場合は（ステップＳ２１；５２）、ＣＰＵ１０１は、スケール画像３の示す最小値Ｍｉｎの値と最大値Ｍａｘの値とをともに小さくする（上述の（態様２−１）；ステップＳ２３）。このとき、ドラッグ操作が続けられても、操作対象シンボル６の位置は移動されず、可動囲シンボル５１の境界値５２に達したときの表示状態を維持する。
【００７５】
例えば、図７に示すＧＵＩ２０の操作対象シンボル６が右方向へドラッグ操作され、これにより操作対象シンボル６が可動範囲シンボル５１の右側の境界値５３に到達し、そのままドラッグ（クリック）され続けると、図９に示すように、操作対象シンボル６の位置はそのままで、最大値及び最小値が同値ずつ増加され続ける。例えば、元のスケール画像３の示す範囲が「０〜１２０」である場合に、上述の操作により、スケール画像３の示す範囲が「２０〜１４０」のように変更される。
【００７６】
ステップＳ２１において、操作対象シンボル６が操作されているが、その位置がいずれの境界値にも達していない場合は（ステップＳ２１；その他位置）、ステップＳ２４へ進む。ユーザによる操作対象シンボル６の移動操作が継続されている間は（ステップＳ２４；Ｙｅｓ）、上述のステップＳ２１〜ステップＳ２３の処理を繰り返す。操作対象シンボル６の移動操作が行われない場合は（ステップＳ２４；Ｎｏ）、シンボル移動処理を終了する。
【００７７】
以上説明したように、第２の実施の形態に示すＧＵＩ２０は、１つの可動範囲シンボル５１内に表示される操作対象シンボル６がハンドルを用いずに直接操作され、パラメータ値が変更される。そして、操作対象シンボル６が可動範囲シンボル５１の境界値５２，５３の位置に移動されると、達した境界値に応じてスケール画像３の示す数値範囲をシフト移動させる。
【００７８】
これにより、ひとつのＧＵＩ１０で自在に数値を変更できる。ＧＵＩ１の示す数値範囲（スケール画像３の数値範囲）をシフト移動できるので、取り得る値の広いパラメータについて、パラメータ変更操作を円滑に行えるようになる。
【００７９】
以上、第１、第２の実施の形態において説明したように、本発明に係る電子機器（医用画像処理装置１００）は、スケール画像３上に操作対象シンボル２（６）の可動範囲を設け、可動範囲の限界（境界値）に操作対象シンボル２（６）が移動されたときに、表示状態を変更せずに、スケール画像の数値範囲を変更するＧＵＩ１０（２０）を有する。
このＧＵＩを用いることにより、より小さな操作領域で可変範囲の広いパラメータ値の設定操作を円滑に行うことが可能となる。
【００８０】
なお、本発明に係る電子機器の好適な実施形態について説明したが、本発明は、上述の実施形態に限定されるものではない。
例えば、上述のＧＵＩ１０，２０の各部（スケール画像３、操作対象シンボル２，６、ハンドルＨ１，Ｈ２１，Ｈ２２等）に用いる図形の形状等は一例であり、適宜変更可能である。
【００８１】
また、ＧＵＩ１０，２０の数値範囲を横方向に表示し、操作対象シンボル２，６が左右にスライドする例を示したが、この例に限定されず、縦方向に表示させてもよい。この場合は、操作対象シンボル２，６は上下にスライドし、可動範囲シンボル４１，４５もスケール画像３上の上部と下部とに設けられる。
【００８２】
また、ＧＵＩを用いてＷＷとＷＬとを設定する場合、ＷＷ範囲内のＣＴ値とモニタの階調数とが線形に対応付けられているものに限定されず、非線形に対応付けられるものでもよい。
【００８３】
その他、当業者であれば、本願で開示した技術的思想の範疇内において、各種の変更例または修正例に想到し得ることは明らかであり、それらについても当然に本発明の技術的範囲に属するものと了解される。
【符号の説明】
【００８４】
１・・・・・・・画像処理システム
１００・・・・・医用画像処理装置（電子機器）
１０１・・・・・ＣＰＵ
１０２・・・・・主メモリ
１０３・・・・・記憶装置
１０４・・・・・通信Ｉ／Ｆ
１０５・・・・・表示メモリ
１０６・・・・・Ｉ／Ｆ
１０７・・・・・表示装置
１０８・・・・・マウス
１０９・・・・・入力装置
１１２・・・・・医用画像撮影装置
１０・・・・・・・・・・・・ＧＵＩ（第１の実施の形態）
２・・・・・・・・・・・・・操作対象シンボル
３・・・・・・・・・・・・・スケール画像
４１，４５・・・・・・・・・可動範囲シンボル
４２，４３，４６，４７・・・境界値
Ｈ１・・・・・・・・・・・・第１ハンドル
Ｈ２１，Ｈ２２・・・・・・・第２ハンドル
Ｍｉｎ・・・・・・・・・・・スケール画像の数値範囲の最小値
Ｍａｘ・・・・・・・・・・・スケール画像の数値範囲の最大値
２０・・・・・・・・・・・・ＧＵＩ（第２の実施の形態）
６・・・・・・・・・・・・・操作対象シンボル
５１・・・・・・・・・・・・可動範囲シンボル
５２，５３・・・・・・・・・境界値
【図１】
2012058798.tif 000003
【図２】
2012058798.tif 000004
【図３】
2012058798.tif 000005
【図４】
2012058798.tif 000006
【図５】
2012058798.tif 000007
【図６】
2012058798.tif 000008
【図７】
2012058798.tif 000009
【図８】
2012058798.tif 000010
【図９】
2012058798.tif 000011